(57)【特許請求の範囲】
【請求項１】
基枠体が取付板と支持板を横断面Ｌ形に曲折して形成され、該基枠体の支持板の上部と下部に鉤部材が枢軸を介して傾動可能に枢支され、上下の該鉤部材が該支持板に沿って摺動可能に配設された連結杆により連結され、該基枠体の中間部に設けたシリンダ錠の錠軸にカム板が固定され、該カム板が該連結杆に係合可能に配置され、該基枠体がパチンコ機の前面枠の内側に縦に取り付けられ、該鉤部材が該パチンコ機の本体枠側に取り付けた受け金具の係止部に係止されて施錠するパチンコ機の施錠装置において、
前記取付板の前面側に解錠時ガラス枠を押して開放させるために常時ガラス枠の開放側に付勢される開放レバーが設けられ、前面枠内の下部に開閉可能に取り付けられた前パネルの係止片に係止可能な鉤部を有する前パネル施錠杆が、該支持板に沿って該鉤部を取付板から前面側に突出させた状態で上下に摺動可能に配設され、該前パネル施錠杆を施錠側に付勢するばねが設けられ、前記前パネルの縁部に係止片が設けられ、該前パネル施錠杆の鉤部が該係止片に係止されて該前パネルが施錠されるパチンコ機の施錠装置であって、
前記シリンダ錠の他に第二シリンダ錠が該基枠体の取付板にその錠軸を内側に挿入して取り付けられ、該支持板と該連結杆の間に鉤部を上下に有するガラス枠施錠杆が該鉤部を該取付板から前面側に突出させた状態で摺動可能に配設され、該ガラス枠施錠杆と前記開放レバー間にコイルばねが該ガラス枠施錠杆を施錠方向に該開放レバーを開放方向に付勢して掛け渡され、該支持板の内側に切起部が突設される一方、該切起部が係合して該連結杆と該ガラス枠施錠杆の摺動をガイドする係合矩形孔が該連結杆と該ガラス枠施錠杆に形成され、該ガラス枠施錠杆に設けた係合部に係合可能な第二カム板が該第二シリンダ錠の錠軸に固定され、該基枠体は該シリンダ錠及び該第二シリンダ錠の先端を前面に露出させて該前面枠の内側に取り付けられ、該ガラス枠施錠杆の該鉤部がガラス枠の一部に設けた係止片に係止されてガラス枠が施錠され、該第二シリンダ錠の解錠操作により該ガラス枠施錠杆が摺動して該ガラス枠が解錠されることを特徴とするパチンコ機の施錠装置。
【発明の詳細な説明】
【０００１】
【発明の属する技術分野】
本発明は、パチンコ機に使用される施錠装置に関し、特に前面枠用のシリンダ錠とガラス枠用のシリンダ錠を別個に設けた施錠装置に関する。
【０００２】
【従来の技術】
パチンコ機の施錠装置として、パチンコ機の本体枠（キャビネット）の前面にヒンジを介して開閉可能に取り付けられた前面枠（前扉）を施錠するために、前面枠の内側に縦に装着され、本体枠側に取り付けた受け金具にフック状の鉤部材を係止させて施錠する施錠装置が、従来一般に使用されている。
【０００３】
この施錠装置は、通常、取付板と支持板を横断面略Ｌ形に成形してなる縦長の基枠体を有し、その支持板の上部と下部に、鉤部材を傾動可能に枢支し、基枠体内に摺動可能に配設した連結杆により上下の鉤部材を連結し、基枠体の取付板の中間部にシリンダ錠が取り付けられ、その錠軸の先端に取り付けたカム板を連結杆に連結させ、シリンダ錠のキー操作によりカム板を回動させ、連結杆を介して上下の鉤部材を下側に傾動させ、解錠する構造である。また、連結杆には鉤部材を施錠側に付勢するコイルばねが掛止され、前面枠を本体枠に対し閉鎖した時、鉤部材が受け金具の縁部に当って傾動しながら、係止状態となり、コイルばねの付勢力で、鉤部材が係止位置に戻り、施錠状態となるように動作する。
【０００４】
【発明が解決しようとする課題】
ところで、この種のパチンコ機は、近年、大当たり入賞状態になれば、多くの球やコインの払出が行なわれる機種が人気を呼び、大当たり入賞の生じるパチンコ機が多く製造されている。しかし、大当たり入賞の当選の確率は、通常、制御回路内のプログラムやメモリのデータにより決定されることから、遊技場の営業中や非営業中に係らず、パチンコ機の前面枠を不正に開き、制御回路内の回路部品を不正な部品と交換し、有利な条件で遊技を行なうことにより、不正に多くの球やコインの払出を得るような不正行為が発生している。
【０００５】
パチンコ機には、殆ど全てに上記のような構造の施錠装置が装着されており、正常なキーを用いてシリンダ錠を操作して、施錠装置を解錠しなければ、パチンコ機の前面枠は、殆ど開くことが不可能である。しかしながら、真正キーから不正に作った不正キーを用いて不正解錠が行なわれ、前面枠を開いて、上記のような不正操作が行なわれる場合があった。
【０００６】
このため、パチンコ遊技場では、シリンダ錠のキーの管理を厳重に行なっているが、遊技中に遊技盤に球が停留したような場合、頻繁にガラス枠を解錠する必要があるために、多くの係員がそのキーを持つこととなり、そのために、真正キーから不正キーが不正に作られる可能性が増大し、不正キーによる不正解錠が増加する問題があった。
【０００７】
本発明は、上記の点に鑑みてなされたもので、ガラス枠解錠用のキーと前面枠解錠用のキーを別個にして、前面枠の不正解錠を効果的に防止することができる施錠装置を提供することを目的とする。
【０００８】
【課題を解決するための手段】
上記目的を達成するために、本発明の施錠装置は、基枠体が取付板と支持板を横断面Ｌ形に曲折して形成され、基枠体の支持板の上部と下部に鉤部材が枢軸を介して傾動可能に枢支され、上下の該鉤部材が支持板に沿って摺動可能に配設された連結杆により連結され、基枠体の中間部に設けたシリンダ錠の錠軸にカム板が固定され、カム板が連結杆に係合可能に配置され、基枠体がパチンコ機の前面枠の内側に縦に取り付けられ、鉤部材がパチンコ機の本体枠側に取り付けた受け金具の係止部に係止されて施錠するパチンコ機の施錠装置において、取付板の前面側に解錠時ガラス枠を押して開放させるために常時ガラス枠の開放側に付勢される開放レバーが設けられ、前面枠内の下部に開閉可能に取り付けられた前パネルの係止片に係止可能な鉤部を有する前パネル施錠杆が、支持板に沿って鉤部を取付板から前面側に突出させた状態で上下に摺動可能に配設され、前パネル施錠杆を施錠側に付勢するばねが設けられ、前パネルの縁部に係止片が設けられ、前パネル施錠杆の鉤部が係止片に係止されて前パネルが施錠されるパチンコ機の施錠装置であって、シリンダ錠の他に第二シリンダ錠が基枠体の取付板にその錠軸を内側に挿入して取り付けられ、支持板と連結杆の間に鉤部を上下に有するガラス枠施錠杆が鉤部を取付板から前面側に突出させた状態で摺動可能に配設され、ガラス枠施錠杆と開放レバー間にコイルばねがガラス枠施錠杆を施錠方向に開放レバーを開放方向に付勢して掛け渡され、支持板の内側に切起部が突設される一方、切起部が係合して連結杆とガラス枠施錠杆の摺動をガイドする係合矩形孔が連結杆とガラス枠施錠杆に形成され、ガラス枠施錠杆に設けた係合部に係合可能な第二カム板が第二シリンダ錠の錠軸に固定され、基枠体はシリンダ錠及び第二シリンダ錠の先端を前面に露出させて前面枠の内側に取り付けられ、ガラス枠施錠杆の鉤部がガラス枠の一部に設けた係止片に係止されてガラス枠が施錠され、第二シリンダ錠の解錠操作によりガラス枠施錠杆が摺動してガラス枠が解錠されることを特徴とする。
【０００９】
【作用】
上記構成の施錠装置では、前面枠解錠用のシリンダ錠とガラス枠解錠用の第二シリンダ錠があるために、前面枠解錠用のキーとガラス枠解錠用のキーが別個に用意され、パチンコ遊技場では、例えば前面枠解錠用のキーは管理者が所持し、ガラス枠解錠用のキーは通常の係員が所持し、別々に使用される。施錠装置は、パチンコ機の前面枠の内側に取り付けられ、パチンコ機の本体枠側に取り付けた受け金具の係止部に、上下の鉤部材が係止されて施錠が行なわれる。
【００１０】
前面枠を解錠する場合は、前面枠解錠用のキーをシリンダ錠に差し込んで回し、カム板の係合部が連結杆と係合してこれを上方へ摺動させ、上下の鉤部材を傾動させて、受け金具との係合を外し、解錠する。このような前面枠の解錠操作は、前面枠解錠用のキーを所持した管理者が行なうようにすれば、キーの不正製造を防止すると共に、前面枠の不正解錠を防止し、本体枠内における制御回路の回路部品の不正交換を防止することができる。
【００１１】
一方、ガラス枠を前面枠の金枠内に閉じると、ガラス枠内の係止片がガラス枠施錠杆の鉤部に係止されてガラス枠は施錠状態となる。ガラス枠を解錠する場合は、ガラス枠解錠用のキーを第二シリンダ錠に差し込み、これを回して、第二カム板を回動させ、第二カム板によりガラス枠施錠杆を摺動させ、その鉤部を係止片から外してガラス枠を解錠する。ガラス枠解錠用のキーは例えばパチンコ遊技場の係員が所持して使用すれば、遊技中に球が遊技盤上で停留したような場合、係員が迅速にガラス枠を開いて対処できるから、遊技場の通常のメインテナンスに問題は生じない。
【００１２】
【発明の実施の形態】
以下、本発明の実施の形態を図面に基づいて説明する。図１は、パチンコ機に使用される施錠装置の右側面図を、図２はその背面図を示し、図３は分解側面図を示している。この施錠装置は、取付板２と支持板３を横断面Ｌ形に成形した縦長の基枠体１を有し、その支持板３の上部と下部に、フック状の鉤部材５、６がその末端を枢軸７、８を介して傾動可能に枢支され、両鉤部材５、６の中間部が、基枠体１内に摺動可能に配設した連結杆４により、連結ピン５ａ，６ａを介して連結される。
【００１３】
連結杆４は、取付板２上に切り起して形成した複数の切起部２ａにより、摺動可能にガイドされ、支持板３の内側に突設したガイドピン１９と連結杆４に設けた長孔との係合によってもガイドされる。基枠体１の取付板２の中央下寄りに幅広部が設けられ、そこに前面枠解錠用のシリンダ錠１０とガラス枠解錠用の第二シリンダ錠１１が前面に突き出す形態で、上下に並べて取り付けられる。シリンダ錠１０は、異形筒状に形成され、末端に大形のフランジ部を有し、取付板２に穿設された孔に内側から挿入され、フランジ部を取付板２の内側にねじで固定し、取り付けられる。シリンダ錠１０の錠軸の末端はフランジ部を通して内側に突出し、その先端にカム板９が固定される。
【００１４】
ガラス枠解錠用の第二シリンダ錠１１は、円筒型に形成され、末端にフランジ部を有し、取付板２に穿設された孔に内側から挿入され、フランジ部を取付板２の内側にねじで固定し、取り付けられる。第二シリンダ錠１１の錠軸の末端はフランジ部を通して内側に突出し、その先端に第二カム板１４が固定される。両カム板９、１４には両側に係合部が突設されるが、カム板９は図２の反時計方向に回動した時、係合部が上記連結杆４の一部に設けた係合長孔４ｃに係合可能であり、カム板１４は、図２の時計方向に回動した時、係合部が後述のガラス枠施錠杆１２の係合長孔１２ｃと係合可能である。
【００１５】
ガラス枠を施錠するガラス枠施錠杆１２は、取付板２の幅広部近傍における支持板３と連結杆４との間に摺動可能に配設され、ガイドピン１９と長孔の係合により上下摺動可能に支持される。ガラス枠施錠杆１２には、その上部と下部に正面を向けて鉤部１２ａ，１２ｂが突設され、さらに、その中間部には手動のための操作部１２ｄが背面側に突き出して設けられる。鉤部１２ａ，１２ｂは、基枠体１の取付板２の上部と下部に設けたスリット孔から前方に突出し、その状態でガラス枠施錠杆１２は上下に摺動可能に装着される。ガラス枠施錠杆１２の係合長孔１２ｃはカム板１４と係合可能であるから、第二シリンダ錠１１の錠軸がキー操作により左に回されたとき、第二カム板１４の回動に伴いガラス枠施錠杆１２が下方に摺動し、ガラス枠が解錠する。
【００１６】
図３に示すように、連結杆４とガラス枠施錠杆１２の上部と下部には、係合矩形孔４ａと１２ｅが形成され、それらの係合矩形孔４ａ，１２ｅには、上述の支持板３の内側に突設した切起部３ａが係合し、連結杆４とガラス枠施錠杆１２はこの切起部３ａと係合矩形孔４ａ，１２ｅの係合によっても、安定して上下摺動可能にガイドされる。コイルばね１７が取付板２と連結杆４との間にかけ渡され、連結杆４はコイルばね１７のばね力により常時下方に付勢されている。
【００１７】
さらに、基枠体１の取付板２の正面側に突出して開放レバー１３が軸支される。この開放レバー１３は、ガラス枠の解錠時にガラス枠を自動的に開放させるように、常時解放側に付勢するもので、軸１３ａにより軸支され、コイルばね１６がガラス枠施錠杆１２との間にかけられている。このコイルばね１６は、ガラス枠施錠杆１２を常時上方の施錠側に付勢すると共に、開放レバー１３を開放側に付勢する。
【００１８】
さらに、基枠体１の支持板３の右側面には、図４に示すように、前パネルを施錠するための前パネル施錠杆１５が上下に摺動可能に装着される。この前パネル施錠杆１５は、鉤部１５ａが前方に向けて突設され、前面枠の下部に開閉可能にヒンジを介して取り付けられた前パネルの係止片２８を、その鉤部１５ａで係止するように設けられる。この前パネル施錠杆１５には係合長孔１５ｂが上下に設けられ、支持板３の右側面に突設されたガイドピン１５ｃにより上下に摺動可能に支持される。さらに、前パネル施錠杆１５と取付板２との間にコイルばね１８がかけられ、コイルばね１８のばね力により前パネル施錠杆１５は常時上方の施錠側に付勢される。また、前パネル施錠杆１５の上部には手動で解錠側に押し下げるための操作部１５ｄが突設される。
【００１９】
このように構成された施錠装置は、図５、図６に示す如く、パチンコ機の本体枠２０に開閉可能に装着された前面枠２１の内側における矩形開口部の縁部に、シリンダ錠１０と第二シリンダ錠１１の先端を前面に露出させ、鉤部材５、６を本体枠２０側に向けた姿勢で、取付板２を用いて縦に取付けられる。一方、本体枠２０の内側の鉤部材５、６に対応した上下位置には、受け金具２４、２５が固定される。さらに、ガラス枠２２が、前面枠２１の開口部に内に取付けられた金枠内にヒンジを開閉可能に取付けられ、そのガラス枠２２の自由端部に、ガラス枠施錠杆１２の鉤部１２ａ，１２ｂが係止可能な係止片２６、２７が設けられる。
【００２０】
この施錠装置では、前面枠解錠用のシリンダ錠１０とガラス枠解錠用の第二シリンダ錠１１のために、前面枠解錠用のキー２９とガラス枠解錠用のキー３０が別個に用意され、パチンコ遊技場では、例えば前面枠解錠用のキー２９は管理者が所持し、ガラス枠解錠用のキー３０は通常の係員が所持し、別々に使用される。
【００２１】
パチンコ機の前面枠２１を本体枠２０に対し閉じると、図５、図６のように、施錠装置の上下の鉤部材５、６が本体枠２０側の受け金具２４、２５に当って下方に傾動し、その後コイルばね１７の付勢力により戻って係止され、施錠状態となる。
【００２２】
前面枠２１を解錠する場合は、図５に示すように、前面枠解錠用のキー２９をシリンダ錠１０に差し込んで回し、カム板９を図２反時計方向に回転させると、カム板９の係合部が連結杆４の係合孔４ｃと係合してこれを上方へ摺動させ、上下の鉤部材５、６を下方に傾動させる。この鉤部材５、６の傾動によって、本体枠２０の受け金具２４、２５との係合が外れ、前面枠２１は開放可能な状態となる。このような前面枠２１の解錠操作は、例えば前面枠解錠用のキー２９を所持した管理者が行ない、キー２９の不正製造を防止すると共に、前面枠２１の不正解錠を防止する。
【００２３】
一方、ガラス枠２２を前面枠２１の金枠内に閉じると、図６に示すように、ガラス枠２２内の係止片２６、２７がガラス枠施錠杆１２の鉤部１２ａ，１２ｂに当り、これを下方に摺動させながら閉じられ、コイルばね１６の付勢力によりガラス枠施錠杆１０が上方に戻る。これにより、鉤部１２ａ，１２ｂに係止片２６、２７が係止され、ガラス枠２２は施錠状態となる。
【００２４】
ガラス枠２２を解錠する場合は、図６に示すように、ガラス枠解錠用のキー３０を第二シリンダ錠１１に差し込み、これを左方向に回して、第二カム板１４を図２時計方向へ回動させると、第二カム板１４の係合部がガラス枠施錠杆１２の係合長孔１２ｃと係合してこれを下方へ摺動させ、上下の鉤部１２ａ，１２ｂを下方へ摺動させる。この動作によって、ガラス枠２２の係止片２６、２７と鉤部１２ａ，１２ｂとの係合が外れ、ガラス枠２２は解錠され、開放レバー１３の作用により、ガラス枠２２は自動的に開放される。このようなガラス枠２２の解錠操作は、例えばガラス枠解錠用のキー３０を所持した係員が行ない、遊技中に球が遊技盤上で停留したような場合、係員が迅速にガラス枠を２２を開いて停留の解消を行なうことができる。
【００２５】
上皿等を前面に取付けた前パネル２３を開く場合、ガラス枠２２を開いた状態で、その開口部から内側に手を入れ、前パネル施錠杆１５の操作部１５ｄを持って押し下げる。これによって、前パネル施錠杆１５が下降し、その鉤部１５ａと前パネル側の係止片２８との係合が外れ、前パネル２３が解錠され、開かれる。前パネル２３を閉鎖する場合、前パネル２３を閉じる方向に押し込むと、その係止片２８が前パネル施錠杆１５の鉤部１５ａに係止され、施錠状態となる。
【００２６】
このように、前面枠２１は前面枠解錠用のキー２９を用いて解錠し、ガラス枠２２はガラス枠解錠用のキー３０を用いて解錠するため、前面枠解錠用のキー２９はパチンコ遊技場の管理者が所持し、ガラス枠解錠用のキー３０は係員が所持するようにすれば、前面枠解錠用のキーから簡単に不正キーが作られることを防止することができ、また、パチンコ遊技場での遊技中の通常のメインテナンスはガラス枠解錠用のキー３０を所持した係員が迅速に行なうことができ、前面枠の不正解錠を防止することにより、プログラムを書き込んだＲＯＭの不正交換等を防止することができる。
【００２７】
なお、上記実施例では、鉤部１２ａ、１２ｂを上部と下部に前方に突出して設けたガラス枠施錠杆１２を使用したが、ガラス枠側に設けたガラス枠解錠具を解錠動作させる鉤部を有しないガラス枠用作動杆を、支持板３と連結杆４の間に摺動可能に配設する構造としてもよい。この場合、第二シリンダ錠のカム板をガラス枠用作動杆に係合させ、この作動杆を摺動させてガラス枠解錠具を動かし、ガラス枠を解錠する。
【００２８】
【発明の効果】
以上説明したように、本発明の施錠装置によれば、前面枠枠解錠用のシリンダ錠とガラス枠解錠用の第二シリンダ錠を取り付け、ガラス枠解錠用のキーと前面枠解錠用のキーを別個にして使用できるようにしたから、前面枠解錠用のキーを管理やが所持し、管理者が前面枠の解錠を行なうようにすれば、キーの不正製造を防止すると共に、前面枠の不正解錠を防止し、本体枠内における制御回路の回路部品の不正交換を防止することができる。
【図面の簡単な説明】
【図１】本発明の一実施形態を示す施錠装置の右側面図である。
【図２】同施錠装置の背面図である。
【図３】施錠装置の分解側面図である。
【図４】施錠装置の部分左側面図である。
【図５】前面枠の解錠状態を示す右側面図である。
【図６】ガラス枠の解錠状態を示す右側面図である。
【符号の説明】
１−基枠体
３−支持板
４−連結杆
５、６−鉤部材
９−カム板
１０−シリンダ錠
１１−第二シリンダ錠
１２−ガラス枠施錠杆
２０−本体枠
２１−前面枠
２２−ガラス枠
２３−前パネル
２９−キー
３０−キー
【図１】
0004098956.tif 000002
【図２】
0004098956.tif 000003
【図３】
0004098956.tif 000004
【図４】
0004098956.tif 000005
【図５】
0004098956.tif 000006
【図６】
0004098956.tif 000007